(57)【要約】【課題】新規な衣服と衣服用留め具との組み合わせを提案する。【解決手段】衣服用留め具が装着される留め具装着部を留め合わせ部に備えている衣服と、前記留め具装着部に装着される衣服用留め具との組み合わせであって、前記衣服用留め具は、ボタン様台座部と、当該ボタン様台座部の背面側から突出する刺突部とから構成され、前記留め具装着部は前記刺突部が挿通される挿通孔であって前記刺突部の断面形状に対応する形状を有する挿通孔を備えていて、前記挿通孔を挿通した前記衣服用留め具の前記刺突部の先端側に掛止部が形成される、衣服と、衣服用留め具との組み合わせ。【選択図】図２
2019178439.tif 000002
【特許請求の範囲】
【請求項１】
衣服用留め具が装着される留め具装着部を留め合わせ部に備えている衣服と、
前記留め具装着部に装着される衣服用留め具との組み合わせであって、
前記衣服用留め具は、ボタン様台座部と、当該ボタン様台座部の背面側から突出する刺突部とから構成され、
前記留め具装着部は前記刺突部が挿通される挿通孔であって前記刺突部の断面形状に対応する形状を有する挿通孔を備えていて、
前記挿通孔を挿通した前記衣服用留め具の前記刺突部の先端側に掛止部が形成される、
衣服と、衣服用留め具との組み合わせ。
【請求項２】
前記刺突部の先端側に形成される掛止部は、前記刺突部の先端に装着され、前記留め具装着部の前記挿通孔より大きな面積を有する受け具である請求項１記載の衣服と、衣服用留め具との組み合わせ。
【請求項３】
前記刺突部の先端側に形成される掛止部は、前記刺突部の先端側が変形することで前記留め具装着部の前記挿通孔を通過できない抜け止め防止部が形成されるものである請求項１記載の衣服と、衣服用留め具との組み合わせ。
【発明の詳細な説明】
【技術分野】
【０００１】
この発明は、衣服と衣服用留め具との組み合わせに関する。
【背景技術】
【０００２】
衣服と衣服用の留め具に関しては従来から種々の提案がされている。例えば、特許文献１には、一対のボタン本体部の双方が表になり、リバーシブルとして使用できるボタン及び、ボタン留め構造並びに衣服、ズボンに関する提案が行われている。
【先行技術文献】
【特許文献】
【０００３】
【特許文献１】特開２０１６−２２１１６１号公報
【発明の概要】
【発明が解決しようとする課題】
【０００４】
この発明は、新規な衣服と衣服用留め具との組み合わせを提案することを目的にしている。
【課題を解決するための手段】
【０００５】
［１］
衣服用留め具が装着される留め具装着部を留め合わせ部に備えている衣服と、
前記留め具装着部に装着される衣服用留め具との組み合わせであって、
前記衣服用留め具は、ボタン様台座部と、当該ボタン様台座部の背面側から突出する刺突部とから構成され、
前記留め具装着部は前記刺突部が挿通される挿通孔であって前記刺突部の断面形状に対応する形状を有する挿通孔を備えていて、
前記挿通孔を挿通した前記衣服用留め具の前記刺突部の先端側に掛止部が形成される、
衣服と、衣服用留め具との組み合わせ。
【０００６】
［２］
前記刺突部の先端側に形成される掛止部は、前記刺突部の先端に装着され、前記留め具装着部の前記挿通孔より大きな面積を有する受け具である［１］の衣服と、衣服用留め具との組み合わせ。
【０００７】
［３］
前記刺突部の先端側に形成される掛止部は、前記刺突部の先端側が変形することで前記留め具装着部の前記挿通孔を通過できない抜け止め防止部が形成されるものである［１］の衣服と、衣服用留め具との組み合わせ。
【発明の効果】
【０００８】
この発明によれば、新規な衣服と衣服用留め具との組み合わせを提供することができる。
【図面の簡単な説明】
【０００９】
【図１】この発明の一実施形態に係る衣服と衣服用留め具との組み合わせの概略構成を説明する図。
【図２】この発明の一実施形態に係る衣服と衣服用留め具との組み合わせにより衣服の留め合わせが行われる形態を説明する図。
【図３】図２図示の実施形態における留め合わせ構造を説明する一部を省略した断面図。
【図４】（ａ）、（ｂ）、（ｃ）は、この発明の他の実施形態に係る衣服用留め具による留め合わせ形態を説明する図。
【発明を実施するための形態】
【００１０】
図１は、この実施形態の衣服２０と、衣服用留め具１、１ａ、１ｂとの組み合わせの一例を説明する概略図である。
【００１１】
図１図示の衣服２０は、前身頃２３の図１中の左端側と、前身頃２４の図１中の右端側とに留め合わせ部を備えている。前身頃２３の図１中の左端側と、前身頃２４の図１中の右端側とがこの留め合わせ部において留め合わされる。
【００１２】
この留め合わせ部は、後述する衣服用留め具が装着される留め具装着部１１、１１ａ、１１ｂ、２１、２１ａ、２１ｂをそれぞれ備えている。前身頃２３側の留め具装着部２１と、前身頃２４側の留め具装着部１１との箇所で留め合わせが行われ、前身頃２３側の留め具装着部２１ａと、前身頃２４側の留め具装着部１１ａとの箇所で留め合わせが行われ、前身頃２３側の留め具装着部２１ｂと、前身頃２４側の留め具装着部１１ｂとの箇所で留め合わせが行われる。
【００１３】
前述した留め合わせを行う衣服用留め具１、１ａ、１ｂは、いずれも、ボタン様台座部２、２ａ、２ｂと、ボタン様台座部２、２ａ、２ｂの背面側から突出する刺突部３、３ａ、３ｂとから構成されている。
【００１４】
上述した留め具装着部１１、１１ａ、１１ｂ、２１、２１ａ、２１ｂは、衣服用留め具１、１ａ、１ｂの刺突部３、３ａ、３ｂが挿通される挿通孔１２、２２、１２ａ、２２ａ、１２ｂ、２２ｂを備えている。
【００１５】
挿通孔１２、２２は、この挿通孔１２、２２が形成されている留め具装着部１１、２１の箇所での留めあわせを行う衣服用留め具１の刺突部３の断面形状（図示の実施形態では正方形）に対応する形状（図示の実施形態では正方形）になっている。
【００１６】
挿通孔１２ａ、２２ａは、この挿通孔１２ａ、２２ａが形成されている留め具装着部１１ａ、２１ａの箇所での留めあわせを行う衣服用留め具１ａの刺突部３ａの断面形状（図示の実施形態では円形）に対応する形状（図示の実施形態では円形）になっている。
【００１７】
挿通孔１２ｂ、２２ｂは、この挿通孔１２ｂ、２２ｂが形成されている留め具装着部１１ｂ、２１ｂの箇所での留めあわせを行う衣服用留め具１ｂの刺突部３ｂの断面形状（図示の実施形態では図面中、上下方向が長い長方形形状）に対応する形状（図示の実施形態では図面中、上下方向が長い長方形形状）になっている。
【００１８】
この実施形態の衣服用留め具１、１ａ、１ｂは、上述した挿通孔１２、２２、１２ａ、２２ａ、１２ｂ、２２ｂを挿通した衣服用留め具１、１ａ、１ｂの刺突部３、３ａ、３ｂの先端側に掛止部が形成される構造になっている。
【００１９】
図１〜図３図示の実施形態では、挿通孔１２、２２、１２ａ、２２ａ、１２ｂ、２２ｂを挿通した衣服用留め具１、１ａ、１ｂの刺突部３、３ａ、３ｂの先端側に形成される掛止部は、刺突部３、３ａ、３ｂの先端に装着され、留め具装着部２１、２１ａ、２１ｂの挿通孔２２、２２ａ、２２ｂより大きな面積を有する受け具３１、３１ａ、３１ｂである（図２）。
【００２０】
図２図示のように、受け具３１は、留め具装着部２１の挿通孔２２（図１）より大きな面積を有し、中央部に、刺突部３の先端が嵌合される、正方形形状の嵌合穴３３を備えている。
【００２１】
衣服２０の前身頃２４の図１中の右端側に存在している留め合わせ部における留め具装着部１１の挿通孔１２及び、衣服２０の前身頃２３の図１中の左端側に存在している留め合わせ部における留め具装着部２１の挿通孔２２を挿通してきた衣服用留め具１の、ボタン様台座部２の背面側から突出する刺突部３の先端が、受け具３１の嵌合穴３３に嵌合される（図３）。こうして、留め合わせが行われる。
【００２２】
同様に、衣服２０の前身頃２４の図１中の右端側に存在している留め合わせ部における留め具装着部１１ａの挿通孔１２ａ及び、衣服２０の前身頃２３の図１中の左端側に存在している留め合わせ部における留め具装着部２１ａの挿通孔２２ａを挿通してきた衣服用留め具１ａの、ボタン様台座部２ａの背面側から突出する刺突部３ａの先端が、受け具３１ａの嵌合穴３３ａに嵌合される（図３）。こうして、留め合わせが行われる。
【００２３】
同様に、衣服２０の前身頃２４の図１中の右端側に存在している留め合わせ部における留め具装着部１１ｂの挿通孔１２ｂ及び、衣服２０の前身頃２３の図１中の左端側に存在している留め合わせ部における留め具装着部２１ｂの挿通孔２２ｂを挿通してきた衣服用留め具１ｂの、ボタン様台座部２ｂの背面側から突出する刺突部３ｂの先端が、受け具３１ｂの嵌合穴３３ｂに嵌合される（図３）。こうして、留め合わせが行われる。
【００２４】
図１〜図３図示の実施形態において、衣服用留め具と、当該衣服用留め具の刺突部の先端が嵌合される嵌合穴を備えている受け具とを不図示の連結手段、例えば、紐部材や、鎖、チェーンなどによって連結しておくことができる。衣服用留め具と、当該衣服用留め具の刺突部の先端断面形状に対応する嵌合穴形状を備えている受け具とを組み合わせておくものである。
【００２５】
図４図示の実施形態は、刺突部の先端側に形成される掛止部の他の実施形態を説明するものである。
【００２６】
図４（ａ）、（ｂ）、（ｃ）図示の実施形態では、刺突部の先端側が変形することで留め具装着部２１、２１ａ、２１ｂの挿通孔２２、２２ａ、２２ｂを通過できない抜け止め防止部が形成されるようになっている。
【００２７】
図４（ａ）図示の実施形態では、衣服用留め具４１のボタン様台座部４２の背面側から突出する刺突部４３は、衣服２０の前身頃２４の図１中の右端側に存在している留め合わせ部における留め具装着部１１ｂの挿通孔１２及び、衣服２０の前身頃２３の図１中の左端側に存在している留め合わせ部における留め具装着部２１の挿通孔２２を挿通した、その先端側に板状の屈曲部４４、４５を備えている。この板状の屈曲部４４、４５は、刺突部４３の先端から矢印４８、４９で示すように屈曲可能になっている。
【００２８】
衣服２０の前身頃２４の図１中の右端側に存在している留め合わせ部における留め具装着部１１の挿通孔１２及び、衣服２０の前身頃２３の図１中の左端側に存在している留め合わせ部における留め具装着部２１の挿通孔２２を挿通してきた衣服用留め具４１の、ボタン様台座部４２の背面側から突出している刺突部４３の先端側における板状の屈曲部４４、４５を、図４（ａ）の右側に図示しているように、刺突部４３の先端から矢印４８、４９で示すように屈曲させて、刺突部４３が留め具装着部２１の挿通孔２２を通過できなくする抜け止め防止部を形成する。これによって、衣服２０の前身頃２３と前身頃２４との間における、留め具装着部１１、２１が配備されている位置での留め合わせが行われる。
【００２９】
図４（ｂ）図示の衣服用留め具４１ａでは、刺突部４３の一方の先端側にだけ板状の屈曲部４５が、刺突部４３の先端から矢印４９で示すように屈曲可能になっている。これによって、刺突部４３の先端側に、留め具装着部２１の挿通孔２２を通過できない抜け止め防止部が形成され、留め合わせが行われる。
【００３０】
すなわち、衣服２０の前身頃２４の図１中の右端側に存在している留め合わせ部における留め具装着部１１の挿通孔１２及び、衣服２０の前身頃２３の図１中の左端側に存在している留め合わせ部における留め具装着部２１の挿通孔２２を挿通してきた衣服用留め具４１ａの、ボタン様台座部４２の背面側から突出している刺突部４３の先端側における板状の屈曲部４５を、図４（ｂ）の右側に図示しているように、刺突部４３の先端から矢印４９で示すように屈曲させて、刺突部４３が留め具装着部２１の挿通孔２２を通過できなくする抜け止め防止部を形成する。これによって、衣服２０の前身頃２３と前身頃２４との間における、留め具装着部１１、２１が配備されている位置での留め合わせが行われる。
【００３１】
図４（ｃ）図示の実施形態では、衣服２０の前身頃２４の図１中の右端側に存在している留め合わせ部における留め具装着部１１ａの円形の挿通孔１２ａ及び、衣服２０の前身頃２３の図１中の左端側に存在している留め合わせ部における留め具装着部２１ａの円形の挿通孔２２ａを挿通する、これらの円形孔の内周壁に当接する外周の径の大きさを有する２本の刺突部４６ａ、４６ｂの先端側に、カフスボタンのように、スイベル式で留め部４７が取り付けられている。
【００３２】
衣服２０の前身頃２４の図１中の右端側に存在している留め合わせ部における留め具装着部１１ａの円形の挿通孔１２ａ及び、衣服２０の前身頃２３の図１中の左端側に存在している留め合わせ部における留め具装着部２１ａの円形挿通孔２２ａを挿通してきた衣服用留め具４１ｂの、ボタン様台座部４２の背面側から突出している刺突部４６ａ、４６ｂの先端の留め部４７を旋回させて図４（ｃ）の右側に図示している位置にすることで、刺突部４６ａ、４６ｂの先端側に、留め具装着部２１ａの挿通孔２２ａを通過できない抜け止め防止部が形成され、留め合わせが行われる。
【００３３】
上述した実施形態において、刺突部３、３ａ、３ｂ、４３、４６ａ、４６ｂが配備されているボタン様台座部２、２ａ、２ｂ、４２の背面側に対向する側、すなわち、衣服用留め具１、１ａ、１ｂ、４１のボタン様台座部２、２ａ、２ｂ、４２の表面は、彩色されたり、種々の模様、デザインが施されたり、種々の造形物が施されている装飾面にすることができる。
【００３４】
図３図示のように、衣服２０の前身頃２３と、前身頃２４との間の留め合わせ部における留めあわせを行うと、衣服用装飾具１、１ａ、１ｂ、４１のボタン様台座部２、２ａ、２ｂ、４２の表面が衣服２０の表側に表出される。
【００３５】
衣服用装飾具１、４１のボタン様台座部２、２ａ、２ｂ、４２の表面が上述したような装飾面になっていると、この装飾面が表出され、衣服２０の装飾としての効果を発揮させることができる。
【００３６】
また、Ｔｉｍｅ（時間）、Ｐｌａｃｅ（場所）、Ｏｃｃａｓｉｏｎ（場合）に即した装飾が表面に施されているボタン様台座部２、２ａ、２ｂ、４２を選択して身に着けることもできる。
【００３７】
この実施形態によれば、衣服２０の前身頃２３、２４における留め合わせ部に配備される留め具装着部１１、１１ａ、１１ｂ、２１、２１ａ、２１ｂ及び、そこにそれぞれ配備される挿通孔１２、２２、１２ａ、２２ａ、１２ｂ、２２ｂの外観は、図１図示のように衣服２０の正面から見た場合、衣服２０に施されている図形、模様、装飾として視認される。
【００３８】
そこで、例えば、留め具装着部１１ａ、１１ｂ、２１ａ、２１ｂの箇所における留め合わせ部では上述した留めあわせを行い、留め具装着部１１、２１の箇所は、衣服２０の正面から見た場合に、衣服２０に施されている図形、模様、装飾として視認できるようにしたり、留め具装着部１１、１１ａ、２１、２１ａの箇所における留め合わせ部では上述した留めあわせを行い、留め具装着部１１ｂ、２１ｂの箇所は、衣服２０の正面から見た場合に、衣服２０に施されている図形、模様、装飾として視認できるようにしたりすることも可能になる。
【００３９】
このように、任意の留め合わせ部でのみ留めあわせを行い、任意の留め合わせ部は外部から視認可能なように選択する際に、例えば、図１図示のように衣服２０の正面から見たときに視認できる留め具装着部１１、１１ａ、１１ｂ、２１、２１ａ、２１ｂ及び、挿通孔１２、２２、１２ａ、２２ａ、１２ｂ、２２ｂの外観を装飾性の高いものにしておくことで、衣服２０の装飾としての効果を高めることができる。
【００４０】
従来の衣服であれば、留めあわせを行う留め合わせ部に、一方では、ボタン、等の留め合わせ用部材を配備し、他方に、ボタン、等の留め合わせ用部材が挿通するためのボタン孔を配備しておく必要があった。
【００４１】
しかし、この実施形態の衣服と、衣服用留め具との組み合わせでは、上述したように、留めあわせを行う留め合わせ部に、衣服用留め具の刺突部３、等の断面形状に合わせた形状の挿通孔１２、等を備えている留め具装着部１１、等が配備されているだけである。
【００４２】
そこで、この実施形態の衣服と、衣服用留め具との組み合わせによれば、留め合わせ部に、ボタン、等の留め合わせ用部材が配備されていない、従来になかった、新しい概念、デザインの衣服を提供することが可能になる。
【００４３】
また、このように、留め合わせ部に、ボタン、等の留め合わせ用部材が配備されていない、従来になかった、新しい概念、デザインの衣服と、表面が装飾面になっているボタン様台座部２、２ａ、２ｂ、４２を備えている衣服用留め具１、１ａ、１ｂ、４１との組み合わせにより、一層、装飾用の効果を高めることができる。
【００４４】
上述したように、留め合わせ部に、ボタン、等の留め合わせ用部材が配備されていないこの実施形態の衣服は、リバーシブルな衣服にしたり、男女どちらでも着ることができる衣服、いわゆるユニセックスな衣服にすることができる。
【００４５】
そこで、この実施形態の衣服と、衣服用留め具との組み合わせによれば、従来になかった、新しい概念、デザインの衣服や、ファッションを提供することが可能になる。
【００４６】
以上、添付図面を参照して本発明の好ましい実施形態を説明したが、本発明はかかる実施形態に限定されることなく、特許請求の範囲の記載から把握される技術的範囲において種々に変更可能である。
【符号の説明】
【００４７】
１、１ａ、１ｂ  衣服用留め具
１、１ａ、１ｂ  衣服用留め具
２、２ａ、２ｂ  ボタン様台座部
３、３ａ、３ｂ  刺突部
１１、１１ａ、１１ｂ、２１、２１ａ、２１ｂ  留め具装着部
１２、２２、１２ａ、２２ａ、１２ｂ、２２ｂ  挿通孔
２０  衣服
２３、２４  衣服の前身頃
３１、３１ａ、３１ｂ  受け具
４１、４１ａ  、４１ｂ  衣服用留め具
４２  ボタン様台座部
４３  刺突部
４４、４５  板状の屈曲部
４６ａ、４６ｂ  刺突部
４７  留め部
【図１】
2019178439.tif 000003
【図２】
2019178439.tif 000004
【図３】
2019178439.tif 000005
【図４】
2019178439.tif 000006
【手続補正書】
【提出日】平成30年7月19日(2018.7.19)
【手続補正１】
【補正対象書類名】特許請求の範囲
【補正対象項目名】全文
【補正方法】変更
【補正の内容】
【特許請求の範囲】
【請求項１】
衣服用留め具が装着される留め具装着部を留め合わせ部に備えている衣服と、
前記留め具装着部に装着される衣服用留め具との組み合わせであって、
前記衣服用留め具は、表面が装飾面になっているボタン様台座部と、当該ボタン様台座部の前記表面の反対側の背面側から突出する刺突部とから構成され、
前記留め合わせ部は、前記衣服が人間の身体に装着された際に互いに留め合わされる関係の位置になる、前記衣服の一方の前身頃の端側と、前記衣服の他方の前身頃の端側とにそれぞれ配備されていて、
前記留め具装着部は、前記衣服の一方の前身頃の端側において上下方向に所定の間隔を空けて複数個配備されている一方側留め具装着部と、前記衣服の一方の前身頃の端側で上下方向に所定の間隔を空けて複数個備えられている前記一方側留め具装着部に対応する上下方向の高さ位置で前記衣服の他方の前身頃の端側において上下方向に所定の間隔を空けて前記一方側留め具装着部の数に対応する数で配備されている他方側留め具装着部とからなり、
前記一方側留め具装着部及び、前記他方側留め具装着部は、それぞれ、中央側に、前記刺突部が挿通される挿通孔であって前記刺突部の断面形状に対応する形状を有する挿通孔を備えていて、
前記複数の一方側留め具装着部のそれぞれ及び前記複数の一方側留め具装着部のそれぞれに配備されている前記挿通孔のそれぞれ、並びに、前記複数の他方側留め具装着部のそれぞれ及び前記複数の他方側留め具装着部のそれぞれに配備されている前記挿通孔のそれぞれは、いずれも、前記衣服の正面から見たときに図形、模様、装飾として視認される外観を有し、
前記一方側留め具装着部の前記挿通孔と、当該前記一方側留め具装着部の前記上下方向高さ位置で対応する位置にある前記他方側留め具装着部の前記挿通孔とを挿通した前記衣服用留め具の前記刺突部の先端側に掛止部が形成される、
衣服と、衣服用留め具との組み合わせ。
【請求項２】
前記刺突部の先端側に形成される掛止部は、前記刺突部の先端に装着され、前記留め具装着部の前記挿通孔より大きな面積を有する受け具である請求項１記載の衣服と、衣服用留め具との組み合わせ。
【請求項３】
前記刺突部の先端側に形成される掛止部は、前記刺突部の先端側が変形することで前記留め具装着部の前記挿通孔を通過できない抜け止め防止部が形成されるものである請求項１記載の衣服と、衣服用留め具との組み合わせ。
【手続補正２】
【補正対象書類名】明細書
【補正対象項目名】０００５
【補正方法】変更
【補正の内容】
【０００５】
［１］
衣服用留め具が装着される留め具装着部を留め合わせ部に備えている衣服と、
前記留め具装着部に装着される衣服用留め具との組み合わせであって、
前記衣服用留め具は、表面が装飾面になっているボタン様台座部と、当該ボタン様台座部の前記表面の反対側の背面側から突出する刺突部とから構成され、
前記留め合わせ部は、前記衣服が人間の身体に装着された際に互いに留め合わされる関係の位置になる、前記衣服の一方の前身頃の端側と、前記衣服の他方の前身頃の端側とにそれぞれ配備されていて、
前記留め具装着部は、前記衣服の一方の前身頃の端側において上下方向に所定の間隔を空けて複数個配備されている一方側留め具装着部と、前記衣服の一方の前身頃の端側で上下方向に所定の間隔を空けて複数個備えられている前記一方側留め具装着部に対応する上下方向の高さ位置で前記衣服の他方の前身頃の端側において上下方向に所定の間隔を空けて前記一方側留め具装着部の数に対応する数で配備されている他方側留め具装着部とからなり、
前記一方側留め具装着部及び、前記他方側留め具装着部は、それぞれ、中央側に、前記刺突部が挿通される挿通孔であって前記刺突部の断面形状に対応する形状を有する挿通孔を備えていて、
前記複数の一方側留め具装着部のそれぞれ及び前記複数の一方側留め具装着部のそれぞれに配備されている前記挿通孔のそれぞれ、並びに、前記複数の他方側留め具装着部のそれぞれ及び前記複数の他方側留め具装着部のそれぞれに配備されている前記挿通孔のそれぞれは、いずれも、前記衣服の正面から見たときに図形、模様、装飾として視認される外観を有し、
前記一方側留め具装着部の前記挿通孔と、当該前記一方側留め具装着部の前記上下方向高さ位置で対応する位置にある前記他方側留め具装着部の前記挿通孔とを挿通した前記衣服用留め具の前記刺突部の先端側に掛止部が形成される、
衣服と、衣服用留め具との組み合わせ。
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
衣服用留め具が装着される留め具装着部を留め合わせ部に備えている衣服と、
前記留め具装着部に装着される衣服用留め具との組み合わせであって、
前記衣服用留め具は、表面が装飾面になっているボタン様台座部と、当該ボタン様台座部の前記表面の反対側の背面側から突出する刺突部とから構成され、
前記留め合わせ部は、前記衣服が人間の身体に装着された際に互いに留め合わされる関係の位置になる、前記衣服の一方の前身頃の端側と、前記衣服の他方の前身頃の端側とにそれぞれ配備されていて、
前記留め具装着部は、前記衣服の一方の前身頃の端側において上下方向に所定の間隔を空けて複数個配備されている一方側留め具装着部と、前記衣服の一方の前身頃の端側で上下方向に所定の間隔を空けて複数個備えられている前記一方側留め具装着部に対応する上下方向の高さ位置で前記衣服の他方の前身頃の端側において上下方向に所定の間隔を空けて前記一方側留め具装着部の数に対応する数で配備されている他方側留め具装着部とからなり、
前記一方側留め具装着部及び、前記他方側留め具装着部は、それぞれ、中央側に、前記刺突部が挿通される挿通孔であって前記刺突部の断面形状と同一の形状を有する挿通孔を備えていて、
前記複数の一方側留め具装着部のそれぞれ及び前記複数の一方側留め具装着部のそれぞれに配備されている前記挿通孔のそれぞれ、並びに、前記複数の他方側留め具装着部のそれぞれ及び前記複数の他方側留め具装着部のそれぞれに配備されている前記挿通孔のそれぞれは、いずれも、前記衣服の正面から見たときに図形、模様、装飾として視認される外観を有し、
前記一方側留め具装着部の前記挿通孔と、当該前記一方側留め具装着部の前記上下方向高さ位置で対応する位置にある前記他方側留め具装着部の前記挿通孔とを挿通した前記衣服用留め具の前記刺突部の先端側に掛止部が形成される、
衣服と、衣服用留め具との組み合わせであって、
前記衣服用留め具のボタン様台座部は前記留め具装着部の前記挿通孔の面積より大きな面積を有し、
前記刺突部の先端側に形成される掛止部は、前記刺突部の先端に装着され、前記留め具装着部の前記挿通孔の面積より大きな面積を有する受け具である
衣服と、衣服用留め具との組み合わせ。
【手続補正２】
【補正対象書類名】明細書
【補正対象項目名】０００５
【補正方法】変更
【補正の内容】
【０００５】
［１］
衣服用留め具が装着される留め具装着部を留め合わせ部に備えている衣服と、
前記留め具装着部に装着される衣服用留め具との組み合わせであって、
前記衣服用留め具は、表面が装飾面になっているボタン様台座部と、当該ボタン様台座部の前記表面の反対側の背面側から突出する刺突部とから構成され、
前記留め合わせ部は、前記衣服が人間の身体に装着された際に互いに留め合わされる関係の位置になる、前記衣服の一方の前身頃の端側と、前記衣服の他方の前身頃の端側とにそれぞれ配備されていて、
前記留め具装着部は、前記衣服の一方の前身頃の端側において上下方向に所定の間隔を空けて複数個配備されている一方側留め具装着部と、前記衣服の一方の前身頃の端側で上下方向に所定の間隔を空けて複数個備えられている前記一方側留め具装着部に対応する上下方向の高さ位置で前記衣服の他方の前身頃の端側において上下方向に所定の間隔を空けて前記一方側留め具装着部の数に対応する数で配備されている他方側留め具装着部とからなり、
前記一方側留め具装着部及び、前記他方側留め具装着部は、それぞれ、中央側に、前記刺突部が挿通される挿通孔であって前記刺突部の断面形状と同一の形状を有する挿通孔を備えていて、
前記複数の一方側留め具装着部のそれぞれ及び前記複数の一方側留め具装着部のそれぞれに配備されている前記挿通孔のそれぞれ、並びに、前記複数の他方側留め具装着部のそれぞれ及び前記複数の他方側留め具装着部のそれぞれに配備されている前記挿通孔のそれぞれは、いずれも、前記衣服の正面から見たときに図形、模様、装飾として視認される外観を有し、
前記一方側留め具装着部の前記挿通孔と、当該前記一方側留め具装着部の前記上下方向高さ位置で対応する位置にある前記他方側留め具装着部の前記挿通孔とを挿通した前記衣服用留め具の前記刺突部の先端側に掛止部が形成される、
衣服と、衣服用留め具との組み合わせであって、
前記衣服用留め具のボタン様台座部は前記留め具装着部の前記挿通孔の面積より大きな面積を有し、
前記刺突部の先端側に形成される掛止部は、前記刺突部の先端に装着され、前記留め具装着部の前記挿通孔の面積より大きな面積を有する受け具である
衣服と、衣服用留め具との組み合わせ。